(57)【要約】【課    題】本発明は、顕著な巨大化効果を発揮することができる昆虫の幼虫用飼料を提供することを目的とする。【解決手段】カルニチン、下記式（１）；【化１３】2004261120.tif 000020（式中、Ｒ１〜Ｒ３はＣ１−６アルキル基を表し、Ｒ４は置換されていてもよいＣ２−３１の脂肪族アシル基を表し、Ｒ５は置換されていてもよいＣ１−３１のアルキル基または置換されていてもよいＣ２−３１のアルケニル基を表す。Ｘ−はアニオンを表す。）で示されるカルニチン誘導体（但し、Ｒ１、Ｒ２及びＲ３がメチル基で、Ｒ４およびＲ５が水素である化合物を除く。）、またはそれらの混合物を含有する昆虫の幼虫用飼料。【選択図】  なし【特許請求の範囲】
【請求項１】
カルニチン、下記式（１）；
【化１】
2004261120.tif 000017
（式中、Ｒ１〜Ｒ３はＣ１−６アルキル基を表し、Ｒ４は水素または置換されていてもよいＣ２−３１脂肪族アシル基を表し、Ｒ５は水素、置換されていてもよいＣ１−３１アルキル基または置換されていてもよいＣ２−３１アルケニル基を表す。Ｘ−はアニオンを表す。）
で示されるカルニチン誘導体（但し、Ｒ１、Ｒ２及びＲ３がメチル基で、Ｒ４およびＲ５が水素である化合物を除く。）、またはそれらの混合物を含有する昆虫の幼虫用飼料。
【請求項２】
カルニチン誘導体が、下記式（２）；
【化２】
2004261120.tif 000018
（式中、Ｒ４’は置換されていてもよいＣ２−３１脂肪族アシル基を表す。Ｘ−はアニオンを表す。）
で示されるアシルカルニチンである請求項１に記載の昆虫の幼虫用飼料。
【請求項３】
昆虫が、甲虫類または鱗翅類である請求項１または２に記載の昆虫の幼虫用飼料。
【請求項４】
カルニチン、下記式（１）；
【化３】
2004261120.tif 000019
（式中、Ｒ１〜Ｒ３はＣ１−６アルキル基を表し、Ｒ４は水素または置換されていてもよいＣ２−３１脂肪族アシル基を表し、Ｒ５は水素、置換されていてもよいＣ１−３１アルキル基または置換されていてもよいＣ２−３１アルケニル基を表す。Ｘ−はアニオンを表す。）
で示されるカルニチン誘導体（但し、Ｒ１、Ｒ２及びＲ３がメチル基で、Ｒ４およびＲ５が水素である化合物を除く。）、またはそれらの混合物の昆虫巨大化のための使用。
【発明の詳細な説明】
【０００１】
【発明の属する技術分野】
本発明は、カルニチンまたはその誘導体を含有することを特徴とする昆虫の幼虫用巨大化飼料に関する。
【０００２】
【従来の技術】
近年、昆虫産業の発展に伴って体の大きな個体の開発が注目されている。しかし、市販の飼料やビタミンなどの添加物を加えた飼料においては、ある程度の大きさを得ることができるが、それだけでは効果は充分ではない。このように、体を大きくすることについては現在のところ有効な飼料は無く、昆虫巨大化のための有効な飼料の確立が望まれている。
一方、従来、カルニチンは痩身薬等として用いられている（特許文献１、２）が、昆虫の幼虫用飼料として用いられたことはいまだかつてない。
【０００３】
【特許文献１】
特開２００１−０５７８６９号公報
【特許文献２】
特開平１１−２５３１３０号公報
【０００４】
【発明が解決しようとする課題】
本発明は、顕著な巨大化効果を発揮することができる昆虫の幼虫用飼料を提供することを目的とする。
【０００５】
【課題を解決するための手段】
上記のような事情に鑑み、本発明者らは、さらに優れた昆虫巨大化のための幼虫用飼料を得るべく検討した結果、カルニチンまたは／およびその誘導体を飼料に配合することにより、特に顕著な巨大化効果を発揮することを見い出し、この知見に基づいて本発明を完成するに至った。
【０００６】
すなわち、本発明は、
（１）  カルニチン、下記式（１）；
【化４】
2004261120.tif 000002
（式中、Ｒ１〜Ｒ３はＣ１−６アルキル基を表し、Ｒ４は水素または置換されていてもよいＣ２−３１脂肪族アシル基を表し、Ｒ５は水素、置換されていてもよいＣ１−３１アルキル基または置換されていてもよいＣ２−３１アルケニル基を表す。Ｘ−はアニオンを表す。）
で示されるカルニチン誘導体（但し、Ｒ１、Ｒ２及びＲ３がメチル基で、Ｒ４およびＲ５が水素である化合物を除く。）、またはそれらの混合物を含有する昆虫の幼虫用飼料、
（２）  カルニチン誘導体が、下記式（２）；
【化５】
2004261120.tif 000003
（式中、Ｒ４’は置換されていてもよいＣ２−３１脂肪族アシル基を表す。Ｘ−はアニオンを表す。）
で示されるアシルカルニチンである前記（１）に記載の昆虫の幼虫用飼料、
（３）  昆虫が、甲虫類または鱗翅類である前記（１）または（２）に記載の昆虫の幼虫用飼料、
（４）  カルニチン、下記式（１）；
【化６】
2004261120.tif 000004
（式中、Ｒ１〜Ｒ３はＣ１−６アルキル基を表し、Ｒ４は置換されていてもよいＣ２−３１脂肪族アシル基を表し、Ｒ５は置換されていてもよいＣ１−３１アルキル基または置換されていてもよいＣ２−３１アルケニル基を表す。Ｘ−はアニオンを表す。）
で示されるカルニチン誘導体（但し、Ｒ１、Ｒ２及びＲ３がメチル基で、Ｒ４およびＲ５が水素である化合物を除く。）、またはそれらの混合物の昆虫巨大化のための使用、
に関する。
【０００７】
【発明の実施の形態】
本発明で用いるカルニチンは、下記式（３）；
【化７】
2004261120.tif 000005
で示される化合物である。カルニチンは、前記式（３）に示すように分子内塩を形成してもよいが、他の塩基または酸との塩を形成していてもよい。かかる塩は、昆虫の幼虫に対して無毒または低毒性のものが好ましい。そのような塩としては、ギ酸、酢酸、乳酸、酪酸、イソ酪酸、トリフルオロ酢酸、リンゴ酸、マレイン酸、マロン酸、フマル酸、コハク酸、コハク酸モノアミド、グルタミン酸、酒石酸、シュウ酸、クエン酸、グリコール酸、グルコン酸、アスコルビン酸、安息香酸、フタル酸、サルチル酸、アントラニル酸、ベンゼンスルホン酸、ｐ−トルエンスルホン酸もしくはメタンスルホン酸などの有機酸との塩；塩酸、臭化水素酸、硫酸、リン酸、硝酸、炭酸もしくはホウ酸などの無機酸との塩；例えばナトリウム塩もしくはカリウム塩などのアルカリ金属塩、カルシウム塩もしくはマグネシウム塩などのアルカリ土類金属塩、アルミニウム塩またはアンモニウム塩などの無機塩基との塩；例えばトリメチルアミン、トリエチルアミン、ピリジン、ピコリン、エタノールアミン、ジエタノールアミン、トリエタノールアミン、ジシクロヘキシルアミンもしくはＮ，Ｎ’−ジベンジルエチレンジアミンなどの有機塩基との塩などが挙げられる。また、本発明で用いるカルニチンの塩は、例えばアルギニン、リジンもしくはオルニチンなどの塩基性アミノ酸とカルニチンとの塩；例えばアスパラギン酸などの酸性アミノ酸とカルニチンとの塩であってもよい。
【０００８】
カルニチンは、ほとんどすべての生物の組織に存在するので、これらの組織から公知の方法に従って抽出することにより得ることができる。また、カルニチンは、化学合成によっても製造することができるし、市販品を使用してもよい。
カルニチンの塩は、遊離のカルニチンから公知の方法に従って容易に得ることができ、また、カルニチンの塩から公知の方法に従って容易に遊離のカルニチンを得ることもできる。
【０００９】
本発明で用いるカルニチン誘導体は、下記式（１）；
【化８】
2004261120.tif 000006
（式中、Ｒ１〜Ｒ３はＣ１−６アルキル基を表し、Ｒ４は水素または置換されていてもよいＣ２−３１脂肪族アシル基を表し、Ｒ５は水素、置換されていてもよいＣ１−３１アルキル基または置換されていてもよいＣ２−３１アルケニル基を表す。Ｘ−はアニオンを表す。）
で示される化合物（但し、Ｒ１、Ｒ２及びＲ３がメチル基で、Ｒ４およびＲ５が水素である化合物を除く。）である。
【００１０】
Ｒ１、Ｒ２およびＲ３における「Ｃ１−６アルキル基」とは、炭素数１〜６個の直鎖または分枝状のアルキル基であり、なかでも、炭素数１〜４のアルキル基が好ましい。具体的には、例えばメチル基、エチル基、プロピル基、イソプロピル基、ブチル基、イソブチル基、ｓｅｃ−ブチル基、ｔｅｒｔ−ブチル基、ペンチル基、イソペンチル基、ネオペンチル基、ｔｅｒｔ−ペンチル基またはヘキシル基等が挙げられる。
【００１１】
Ｒ４における「Ｃ２−３１脂肪族アシル基」とは、炭素数２〜３１個の直鎖または分枝状の脂肪族アシル基であり、なかでも炭素数２〜１８の脂肪族アシル基が好ましい。具体的には、例えば、アセチル基、プロピオニル基、ブチリル基、イソブチリル基、クロトノイル基、メタクリロイル基、バレリル基、イソバレリル基、ピバロイル基、ヘキサノイル基、４−メチルバレリル基、ソルビノイル基、ヘプタノイル基、オクタノイル基、２−プロピルバレリル基、ノナノイル基、デカノイル基、ウンデカノイル基、１０−ウンデセノイル基、ドデカノイル基、トリデカノイル基、テトラデカノイル基、ペンタデカノイル基、ヘキサデカノイル基、ヘプタデカノイル基、オクタデカノイル基、オレオイル基、エライドイル基、リノレオイル基、リノレノイル基、ノナデカノイル基、２，６，１０，１４−テトラメチルペンタデカノイル基、イコサノイル基、３，７，１１，１５−テトラメチルヘキサデカノイル基、アラキドイル基、ヘンイコサノイル基、ドコサノイル基、トリコサノイル基、テトラコサノイル基、ペンタコサノイル基、ヘキサコサノイル基、ヘプタコサノイル基、オクタコサノイル基、ノナコサノイル基、トリアコンタノイル基またはヘントリアコンタノイル基等が挙げられる。
【００１２】
Ｒ５における「Ｃ１−３１アルキル基」とは、炭素数１〜３１個の直鎖または分枝状のアルキル基であり、なかでも炭素数１〜２１のアルキル基が好ましい。具体的には、例えば、メチル基、エチル基、プロピル基、イソプロピル基、ブチル基、イソブチル基、１−メチルプロピル基、１，１−ジメチルエチル基、ペンチル基、１−メチルブチル基、２−メチルブチル基、３−メチルブチル基、１，１−ジメチルプロピル基、１，２−ジメチルプロピル基、２，２−ジメチルプロピル基、１−エチルプロピル基、２−エチルプロピル基、ヘキシル基、イソヘキシル基、１−メチルペンチル基、２−メチルペンチル基、３−メチルペンチル基、１−エチルブチル基、２−エチルブチル基、１，１−ジメチルブチル基、１，２−ジメチルブチル基、１，３−ジメチルブチル基、２，２−ジメチルブチル基、２，３−ジメチルブチル基、３，３−ジメチルブチル基、１−エチル−１−メチルプロピル基、１−エチル−２−メチルプロピル基、２−エチル−１−メチルプロピル基、２−エチル−２−メチルプロピル基、１−メチル−２−エチルプロピル基、１，１，２−トリメチルプロピル基、１，２，２−トリメチルプロピル基、ヘプチル基、オクチル基、２−プロピルペンチル基、ノニル基、デシル基、ウンデシル基、ドデシル基、トリデシル基、テトラデシル基、ペンタデシル基、ヘキサデシル基、ヘプタデシル基、オクタデシル基、ノナデシル基、イコシル基、ヘンイコシル基、ドコシル基、トリコシル基、テトラコシル基、ペンタコシル基、ヘキサコシル基、ヘプタコシル基、オクタコシル基、ノナコシル基、トリアコンチル基またはヘントリアコンチル基等が挙げられる。
【００１３】
Ｒ５における「Ｃ２−３１アルケニル基」とは、炭素数２〜３１個の直鎖または分枝状のアルケニル基であり、なかでも炭素数２〜２１のアルケニル基が好ましい。具体的には、例えば、ビニル基、２−プロペニル基、１−メチルエチニル基、１０−ウンデセニル基、１４−ペンタデセニル基、３，７，１１，１５−テトラメチル−２−ヘキサデセニル基、２０−ヘンイコセニル基、３０−ヘントリアコンテニル基等が挙げられる。
【００１４】
Ｒ４におけるＣ２−３１脂肪族アシル基またはＲ５におけるＣ１−３１アルキル基もしくはＣ２−３１のアルケニル基は置換されていてもよい。置換基の位置および数は化学的に許容される限り特に限定されない。置換基としては、例えば、水酸基；ハロゲン原子（例、フッ素、塩素、臭素、ヨウ素等）；カルボキシ基；アミノ基；ニトロ基；シアノ基；ハロゲン化されていてもよいＣ１−６アルキル基；ハロゲン化されていてもよいＣ２−６アルケニル基；Ｃ６−１４アリール基（例、フェニル、１−ナフチル、２−ナフチル、２−ビフェニリル、３−ビフェニリル、４−ビフェニリル、２−アンスリル等）；ハロゲン化されていてもよいＣ１−６アルコキシ基；Ｃ６−１４アリールオキシ基（例、フェニルオキシ、１−ナフチルオキシ、２−ナフチルオキシ等）；Ｃ７−１６アラルキルオキシ基（例、ベンジルオキシ、フェネチルオキシ等）；ハロゲン化されていてもよいＣ１−６アルキル−カルボニル基（例、アセチル、プロピオニル、ピバロイル等）；Ｃ１−６アルコキシ−カルボニル基（例、メトキシカルボニル、エトキシカルボニル、プロポキシカルボニル、ｔｅｒｔ−ブトキシカルボニル等）；Ｃ６−１４アリール−カルボニル基（例、ベンゾイル、１−ナフトイル、２−ナフトイル等）；Ｃ７−１６アラルキル−カルボニル基（例、フェニルアセチル、３−フェニルプロピオニル等）；Ｃ６−１４アリールオキシ−カルボニル基（例、フェノキシカルボニル等）；Ｃ７−１６アラルキルオキシ−カルボニル基（例、ベンジルオキシカルボニル、フェネチルオキシカルボニル等）；Ｃ１−６アルキルチオ基；Ｃ６−１４アリールチオ基（例、フェニルチオ、１−ナフチルチオ、２−ナフチルチオ等）；Ｃ７−１６アラルキルチオ基（例、ベンジルチオ、フェネチルチオ等）；Ｃ６−１４アリールチオ基（例、フェニルチオ、１−ナフチルチオ、２−ナフチルチオ等）；Ｃ７−１６アラルキルチオ基（例えば、ベンジルチオ、フェネチルチオ等）；Ｃ１−６アルキルスルフィニル基（例、メチルスルフィニル、エチルスルフィニル等）；Ｃ１−６アルキルスルホニル基（例、メチルスルホニル、エチルスルホニル等）；Ｃ６−１４アリールスルホニル基（例、フェニルスルホニル、１−ナフチルスルホニル、２−ナフチルスルホニル等）；Ｃ６−１４アリールスルフィニル基（例、フェニルスルフィニル、１−ナフチルスルフィニル、２−ナフチルスルフィニル等）；モノ−Ｃ１−６アルキルアミノ基（例、メチルアミノ、エチルアミノ等）；モノ−Ｃ６−１４アリールアミノ基（例、フェニルアミノ、１−ナフチルアミノ、２−ナフチルアミノ等）；ジ−Ｃ１−６アルキルアミノ基（例、ジメチルアミノ、ジエチルアミノ、エチルメチルアミノ等）；Ｃ３−８シクロアルキルアミノ基（例、シクロペンチルアミノ、シクロヘキシルアミノ等）；ジ−Ｃ６−１４アリールアミノ基（例、ジフェニルアミノ等）；Ｎ−Ｃ３−８シクロアルキル−Ｎ−Ｃ１−６アルキルアミノ基（例、Ｎ−シクロペンチル−Ｎ−メチルアミノ、Ｎ−シクロヘキシル−Ｎ−メチルアミノ、Ｎ−シクロペンチル−Ｎ−エチルアミノ、Ｎ−シクロヘキシル−Ｎ−エチルアミノ等）；Ｃ１−６アシルアミノ基（例、ホルミルアミノ、アセチルアミノ、プロピオニルアミノ、ピバロイルアミノ等）などが挙げられる。
【００１５】
Ｘ−で表されるアニオンは、昆虫の幼虫に低毒性または無毒性のものが好ましい。かかるアニオンとしては、例えば、クロリド、ブロミド、アセテート、シトレート、ニコチネート、ニトレート、スルホネート、サリチレートをあげることができる。
【００１６】
本発明においては、カルニチン誘導体として、上記（１）において、Ｒ１、Ｒ２及びＲ３がメチル基であり、Ｒ４がＣ２−１８脂肪族アシル基であり、Ｒ５が水素である下記式（２）；
【化９】
2004261120.tif 000007
（式中、Ｒ４’は置換されていてもよいＣ２−３１脂肪族アシル基を表す。Ｘ−は前記と同意義。）
で示されるアシルカルニチンを用いることがより好ましい。アシルカルニチンは、下記式（２’）；
【化１０】
2004261120.tif 000008
（式中、Ｒ４’は前記と同意義。）
で示される分子内塩を形成していてもよい。
【００１７】
かかるアシルカルニチンとしては、例えば、Ｏ−アセチルカルニチン，Ｏ−プロピオニルカルニチン，Ｏ−ブチリルカルニチン，Ｏ−イソブチリルカルニチン，Ｏ−デカノイル（カプリノイル）カルニチン，Ｏ−ウンデカノイルカルニチン，Ｏ−ドデカノイル（ラウロイル）カルニチン，Ｏ−トリデカノイルカルニチン，Ｏ−テトラデカノイル（ミリストイル）カルニチン，Ｏ−ペンタデカノイルカルニチン，Ｏ−ヘキサデカノイル（パルミトイル）カルニチン，Ｏ−ヘプタデカノイル（マルガロイル）カルニチン，Ｏ−１２−メチルトリデカノイルカルニチン，Ｏ−１４−メチルペンタデカノイル（イソパルミトイル）カルニチン，Ｏ−２−デセノイルカルニチン，Ｏ−４−デセノイルカルニチン，Ｏ−９−デセノイル（カプロレイル）カルニチン，Ｏ−９−ウンデセノイル（９−ウンデシノイル）カルニチン，Ｏ−１０−ウンデセノイル（１０−ウンデシノイル）カルニチン，Ｏ−２−ドデセノイル（２−ラウロレイル）カルニチン，Ｏ−３−ドデセノイル（リンデロイル）カルニチン，Ｏ−４−ドデセノイルカルニチン，Ｏ−５−ドデセノイル（５−ラウロレイル）カルニチン，Ｏ−１１−ドデセノイル（１１−ラウロレイル）カルニチン，Ｏ−２−トリデセノイルカルニチン，Ｏ−ｃｉｓ−９−トリデセノイルカルニチン，Ｏ−１２−トリデセノイルカルニチン，Ｏ−４−テトラデセノイルカルニチン，Ｏ−５−テトラデセノイル（５−ミリストレイル）カルニチン，Ｏ−９−テトラデセノイル（９−ミリストレイル）カルニチン，Ｏ−６−ペンタデセノイルカルニチン，Ｏ−ｃｉｓ−９−ペンタデセノイルカルニチン，Ｏ−１４−ペンタデセノイルカルニチン，Ｏ−２−ヘキサデセノイル（２−パルミトレイル）カルニチン，Ｏ−ｃｉｓ−７−ヘキサデセノイル（７−パルミトレイル）カルニチン，Ｏ−ｃｉｓ−９−ヘキサデセノイル（ｃｉｓ−９−パルミトレイル）カルニチン，Ｏ−ｔｒａｎｓ−９−ヘキサデセノイル（ｔｒａｎｓ−９−パルミトレイル）カルニチン，Ｏ−２−ヘプタデセノイルカルニチン，Ｏ−ｃｉｓ−７−ヘプタデセノイルカルニチン，Ｏ−ｃｉｓ−８−ヘプタデセノイルカルニチン，Ｏ−ｃｉｓ−９−ヘプタデセノイルカルニチン等が挙げられる。
【００１８】
本発明で用いるカルニチン誘導体は、塩を形成していてもよく、かかる塩としてはカルニチンの塩と同一のものが例示できる。上記アシルカルニチンの塩としては、特に、塩酸塩等の無機酸塩、またはグリコール酸塩、酢酸塩、乳酸塩、ピロリドンカルボン酸塩、クエン酸塩、アスパラギン酸塩もしくはグルタミン酸塩等の有機酸塩が好適な例として挙げられる。
また、本発明で用いるカルニチン誘導体は、カルニチンの２位の不斉炭素原子及びＲ１、Ｒ２、Ｒ３、Ｒ４またはＲ５に存在する不斉炭素原子にもとづく光学異性体及びその混合物のいずれをも包含する。
【００１９】
本発明で用いるカルニチン誘導体は、例えば一般式（４）；
【化１１】
2004261120.tif 000009
（式中、Ｒ１、Ｒ２、Ｒ３、Ｒ４およびＸ−は、前記と同意義。）
で示される化合物またはその塩を、一般式（５）；Ｒ５Ｙ（式中、Ｒ５は前記と同意義。Ｙはハロゲン原子（例、フッ素、塩素、臭素、ヨウ素等）を表す。）で示される化合物と縮合させることにより製造することができる。
また、本発明で用いるカルニチン誘導体は、例えば上記一般式（４）で示される化合物またはそのカルボキシル基における反応性誘導体を、一般式（６）；Ｒ５ＯＨ（式中、Ｒ５は前記と同意義。）で示される化合物と縮合させることにより製造することもできる。ここで、化合物（４）のカルボキシル基における反応性誘導体としては、対応する酸ハライド、混酸無水物、活性エステルなどが挙げられる。
【００２０】
上述した（ａ）化合物（４）と化合物（５）の縮合反応、および（ｂ）化合物（４）またはそのカルボキシル基における反応性誘導体と化合物（６）の縮合反応は、適当な溶媒（例えば、ジメチルホルムアミド、テトラヒドロフラン、塩化メチレン、酢酸エチル、アセトニトリル等）中、脱酸剤（例えば、水酸化アルカリ金属、炭酸アルカリ金属、炭酸水素アルカリ金属、Ｎ，Ｎ−ジアルキルアニリン、ピリジン、Ｎ−アルキルモルホリン、トリ低級アルキルアミン等）の存在または非存在下で適宜実施することができる。反応温度は、特に限定されないが、約０℃〜６０℃の温度が好ましい。
【００２１】
化合物（４）と化合物（６）の縮合反応は、上記縮合反応で用いたのと同じ溶媒中、縮合剤（例えば、Ｎ，Ｎ’−ジシクロヘキシルカルボジイミド、Ｎ−シクロヘキシル−Ｎ’−モルホリノカルボジイミド、Ｎ−エチル−Ｎ’−（３−ジメチルアミノプロピル）カルボジイミド等）の存在または非存在下で適宜実施することができる。反応温度は、特に限定されないが、約−３０℃〜３０℃の温度が好ましい。
【００２２】
上記製造方法において、原料となる一般式（４）で示される化合物は、例えば一般式（７）；
【化１２】
2004261120.tif 000010
（式中、Ｒ１、Ｒ２およびＲ３は、前記と同意義。）
で示される化合物またはその塩を、一般式（８）；Ｒ４ＯＨ（式中、Ｒ４は前記と同意義。）で示されるカルボン酸化合物と、常法により、例えば上記縮合反応と同様に反応させることにより製造することができる。
【００２３】
また、本発明で用いるアシルカルニチンは、例えば、カルニチンをトリクロロ酢酸に溶解し、該溶液中にて酸塩化物と反応させることにより、収率よく得ることができる。
【００２４】
本発明においては、上述したカルニチン誘導体を単独で用いてもよいし、２種以上組み合わせて用いてもよい。また、１種または２種以上のカルニチン誘導体とカルニチンを組み合わせてもよい。さらに、本発明においては、カルニチンまたはその誘導体として、カルニチンまたはその誘導体を含有する物質を用いてもよい。かかる物質としては、食品として使用されているカルニッチなどが挙げられる。
【００２５】
本発明に係る昆虫の幼虫用飼料の形態は特に問わないが、従来の昆虫の幼虫用飼料に均一に混合できるものが好ましく、例としてクワガタムシ、カブトムシ用の腐葉土や市販の木屑マットに均一に混合したもの、カイコなどの人工飼料に均一に混合したもの等が挙げられる。
本発明に係る昆虫の幼虫用飼料において、カルニチンまたはその誘導体の単独の配合量は、幼虫の種類や大きさなどにより異なるので一概には言えないが、飼料全体の約０．０１重量％以上であればよく、約０．２重量％以上の配合量において最大の効果が得られる。２種以上を混合する場合においても、合計約０．２重量％以上において高い効果が得られる。また、カルニチン含有物質（カルニッチなど）を用いる場合は、カルニチンまたはその誘導体の含有量が上記範囲になるように配合量を決定すればよく、例えば飼料全体の約１重量％以上でよく、約５重量％以上の配合量で最大の効果が得られる。
【００２６】
また、本発明の飼料を製造する場合は、必要に応じてビタミン、ミネラルおよびアミノ酸等の栄養強化成分；トウモロコシ、大麦、小麦、米等の穀類やその加工品；脱脂大豆粕等の粕類；ホエー、脱脂粉乳等の動物質原料；ソルビン酸、プロピオン酸またはそれらの塩類などの防腐剤；抗生物質等を配合することができる。
【００２７】
本発明の飼料は、昆虫の幼虫に特に制限なく用いることができるが、甲虫類、鱗翅類またはトンボ類の幼虫に対して用いるのが特に好ましい。甲虫類の昆虫としては、例えば、ハンミョウ科、オサムシ科、ゴミムシ科、ゲンゴロウ科、ガムシ科、シデムシ科、クワガタムシ科、コガネムシ科、マルハナノミ科、テントウムシ科、ハマシダマシ科、カミキリムシ科、ゾウムシ科、コオイムシ科、タイコウチ科の昆虫が挙げられ、より具体的には、カブトムシ、クワガタ、テントウムシなどが挙げられる。鱗翅類の昆虫としては、例えば、セセリチョウ科、アゲハチョウ科、シロチョウ科、シジミチョウ科、タテハチョウ科、ジャノメチョウ科などの蝶類、セクロピア蚕、カイコガなどが挙げられる。トンボ類の昆虫としては、トンボ科、イトトンボ科、モノサシトンボ科、アオイトトンボ科、カワトンボ科、ムカシヤンマ科、サナエトンボ科、オニヤンマ科、ヤンマ科、エゾトンボ科の昆虫などが挙げられる。
【００２８】
【実施例】
次に本発明を詳細に説明するため実施例を挙げるが、本発明はこれに限定されるものではない。実施例に示す配合量の部とは重量部を示す。
【００２９】
実施例１  クワガタムシ用飼料
下記成分を均一に撹拌混合して、本発明にかかるクワガタムシ用飼料を作成した。
2004261120.tif 000011
【００３０】
比較例１  クワガタムシ用飼料（アセチルカルニチン未配合）
実施例１において、アセチルカルニチンを蒸留水に置き換えたものをクワガタムシ用飼料とした。
【００３１】
実施例２  カイコ用飼料
下記成分を均一に撹拌混合して、本発明にかかるカイコ用飼料を作成した。
2004261120.tif 000012
【００３２】
比較例２  カイコ用飼料（Ｌ−カルニチン未配合）
実施例２において、Ｌ−カルニチンを蒸留水に置き換えたものをカイコ用飼料とした。
【００３３】
実施例３  カブトムシ用飼料
下記成分を均一に撹拌混合して、本発明にかかるカブトムシ用飼料を作成した。
2004261120.tif 000013
【００３４】
比較例３  幼虫用マット（Ｌ−カルニチンおよびアセチルカルニチン未配合）
実施例３において、Ｌ−カルニチンおよびアセチルカルニチンを蒸留水に置き換えたものをカブトムシ用飼料とした。
【００３５】
試験例１
３齢になったばかりのクワガタムシの幼虫にアセチルカルニチンを含有した飼料（実施例１で作製した飼料）または含まない飼料（比較例１で作製した飼料）を与え、成虫になった時点での大きさ（体長および体重）を比較した。その結果を表１および図１に示す。表１および図１から明らかなように、実施例１において比較例１より顕著に大きなクワガタムシの成虫が得られた。
【表１】
2004261120.tif 000014
【００３６】
試験例２
５齢になったばかりのカイコの幼虫にＬ−カルニチンを含有した飼料（実施例２で作製した飼料）または含まない飼料（比較例２で作製した飼料）を与え、蛹（前蛹）になる直前の幼虫の大きさ（体長および体重）を比較した。その結果を表２および図２に示す。表２および図２から明らかなように、実施例２において比較例２より顕著に大きなカイコの幼虫が得られた。
【表２】
2004261120.tif 000015
【００３７】
試験例３
３齢になったばかりのカブトムシの幼虫にＬ−カルニチンおよびアセチルカルニチンを含有した飼料（実施例３で作製した飼料）または含まない飼料（比較例３で作製した飼料）を与え、成虫になった時点での大きさ（体長および体重）を比較した。その結果を表３および図３に示す。表３および図３から明らかなように、実施例３において比較例３より顕著に大きなカブトムシの成虫が得られた。
【表３】
2004261120.tif 000016
【００３８】
【発明の効果】
本発明は、昆虫の体を大きくすることに優れた飼料を提供し得る。
【図面の簡単な説明】
【図１】図１は、Ｌ−カルニチンを含有する本発明の飼料を与えたことによる、クワガタムシの巨大化効果を示す図である。
【図２】図２は、アセチルカルニチンを含有する本発明の飼料を与えたことによる、カイコの巨大化効果を示す図である。
【図３】図３は、Ｌ−カルニチンおよびアセチルカルニチンを含有する本発明の飼料を与えたことによる、カブトムシの巨大化効果を示す図である。
【図１】
2004261120.tif 000021
【図２】
2004261120.tif 000022
【図３】
2004261120.tif 000023